(57)【特許請求の範囲】
【請求項１】
便座を回転可能とするヒンジを機能部に設け、前記機能部より立てた中空形状柱状突起を前記ヒンジよりも前記機能部の中心側に位置させて設け、
さらに前記便座に、前記中空形状柱状突起を便座が閉じている状態のときに覆う袖部を設け、
前記機能部の内部で接続してある配線コードを前記中空形状柱状突起内に引き出し可能に収納し、前記配線コードを、前記中空形状柱状突起の先端に設けた開口部及び前記袖部の側壁に形成した挿通孔を通して便座内部のヒータユニットへ接続し、
前記便座を前記機能部から取り外すと、前記配線コードが中空形状柱状突起から引き出されることを特徴とするトイレ装置。
【請求項２】
前記中空形状柱状突起先端に設けた開口部は、前記機能部の上面に設けられたことを特徴とする請求項１記載のトイレ装置。
【請求項３】
前記中空形状柱状突起の中空部を、配線コードコネクター部が通過できる大きさとして形成したことを特徴とする請求項２記載のトイレ装置。
【請求項４】
前記中空形状柱状突起先端上面に設けた開口部に、水・小水などの進入を防ぐための蓋を脱着可能な方法で固定したことを特徴とする請求項１記載のトイレ装置。
【請求項５】
前記中空形状柱状突起内部には、前記便座内から出た前記配線コードを前記機能部内部に引張り込む、コード引き込み手段が設けられていることを特徴とする請求項１記載のトイレ装置。
【請求項６】
前記コード引き込み手段は、前記中空形状柱状突起の蓋側で支持されるコイルスプリングと、前記コイルスプリング内を挿通する前記配線コードに、前記配線コードが自由状態の前記コイルスプリングの先側から出た位置で固定されるストッパー部材を有することを特徴とする請求項５記載のトイレ装置。
【発明の詳細な説明】
【０００１】
【発明の属する技術分野】
本発明は暖房便座の配線に関するものである。
【０００２】
【従来の技術】
【０００３】
図３，図４に従来のトイレ装置を示す。（図４はコード省略）
便器3の後部に局部洗浄装置，洗浄用の水を流すバルブ及び全体の制御装置を収納した機能部4が設けられ，機能部4の手前に設けられたヒンジ5にヒンジサポート6とヒンジカバー7が取り付けられ，さらに便座8と便蓋9が開閉可能に取り付けられている。便座8には，暖房用の為に電熱ヒータが設けられていると共に，内部に電熱ヒータによって加熱された便座8の温度を測定する温度センサー（サーミスタ）が設けられ，配線コード10が便座8と機能部4との間に弛みを設けて配線されている。
【０００４】
【発明が解決しようとする課題】
従来のトイレ装置においては，便座8と機能部4を連結する配線コード10が外部に露出しているので，見栄えが悪いという問題があった。
またトイレ空間内を清掃する際，配線コードのぶら下がりが有る為不用意に配線コードに接触して便座および便蓋を破損する課題も有している。本発明は，便座への配線コードが外部に露出しないトイレ装置を提案することを目的とする。
【０００５】
【課題を解決するための手段】
上記技術的課題を解決するために本発明の請求項１において講じた技術的手段（以下、第１の技術的手段と称する。）は、便座を回転可能とするヒンジを機能部に設け、前記機能部より立てた中空形状柱状突起を前記ヒンジよりも前記機能部の中心側に位置させて設け、さらに前記便座に、前記中空形状柱状突起を便座が閉じている状態のときに覆う袖部を設け、前記機能部の内部で接続してある配線コードを前記中空形状柱状突起内に引き出し可能に収納し、前記配線コードを、前記中空形状柱状突起の先端に設けた開口部及び前記袖部の側壁に形成した挿通孔を通して便座内部のヒータユニットへ接続し、前記便座を前記機能部から取り外すと、前記配線コードが中空形状柱状突起から引き出されることを特徴とするトイレ装置である。
【０００７】
また、機能部より設けた中空突起の柱を同上位置に設けることにより、便座および便蓋の横幅を現行維持出来るといった効果を有する。
【０００８】
上記技術的課題を解決するために本発明の請求項２において講じた技術的手段（以下第２の技術的手段と称する。）は、機能部の中空突起柱に設けた開口部を、上面部に設けたことを特徴とするトイレ装置である。上記第２の技術的手段による効果は、以下のようである。
【０００９】
即ち、機能部の中空突起柱に設けた開口部を、上面部に設けることにより、便座を機能部から外す際、配線コードに負荷が係らずにスムーズに引き出せるといった効果を有する。
【００１１】
また、配線コードを便座開閉の中心を通すことにより、便座を開閉する際、配線コードも便座開閉の中心を軸として回転する。その為、便座開閉時に配線コードが伸縮することはなく、引張り・圧縮による配線コードの破損が無くなる効果を有する。
【００１２】
上記技術的課題を解決するために本発明の請求項３において講じた技術的手段（以下第３の技術的手段と称する。）は、機能部より立てた柱内の中空部および開口部を、配線コードコネクター部が通過できる大きさとして形成したことを特徴とするトイレ装置である。
【００１３】
上記第３の技術的手段による効果は、以下のようである。即ち、配線コードコネクタを中空形状柱状突起の開口部より取り出し、外部にて機能部内の制御部配線と便座配線コードを接続することが出来るため、組立てが簡単になるという効果を有する。
【００１６】
上記技術的課題を解決するために本発明の請求項４において講じた技術的手段（以下第４の技術的手段と称する。）は、柱開口部を塞ぎコイルスプリングが収縮するために蓋をネジ止めにて固定したことを特徴とするトイレ装置である。
【００１７】
上記第４の技術的手段による効果は、以下のようである。即ち、柱先端開口部を固定することで、水・小水などが機能部より立てた柱の開口部より進入して機能部内部に影響を与えないという効果を有する。また、脱着可能な方法、例えばネジによる固定、はめ込みによる固定などで蓋を固定することにより、コード引き込み手段の取り付け取り外しが可能になるという効果を有する。
【００１８】
上記技術的課題を解決するために本発明の請求項５において講じた技術的手段（以下第５の技術的手段と称する。）は、機能部と便座側との間に露出している弛んだ配線コードを機能部内に引張り込むコード引き込み手段を設けていることを特徴とするトイレ装置である。
【００１９】
上記第５の技術的手段による効果は、以下のようである。即ち、配線コードの弛み部分が自動的に機能部内部に納まることが出来るという効果を有する。
【００２０】
上記技術的課題を解決するために本発明の請求項６において講じた技術的手段（以下第６の技術的手段と称する。）は、中空形状柱状突起の蓋側で支持されるコイルスプリングと、コイルスプリング内を挿通する前記配線コードに該配線コードが自由状態の前記コイルスプリングの先側から出た位置で固定されるストッパー部材を有することを特徴とするトイレ装置である。
【００２１】
上記第６の技術的手段による効果は、以下のようである。即ち、弛んだ配線コードはコイルスプリングによって機能部内部に引き込まれ、便座を機能部から取外した場合には、コイルスプリングが縮んで配線コードを引き出すことが出来るという効果を有する。
【００２２】
【発明の実施の形態】
続いて，添付した図面を参照しつつ，本発明を具体化した実施の形態につき説明し，本発明の理解に供する。
ここに，図1は本発明に係るトイレ装置の一部拡大斜視図（便座開時），図２は同一部拡大斜視図（便座閉時）に係るトイレ装置の説明図である。
【００２３】
図1，2に示すように，本発明に係るトイレ装置は，陶器製の便器２(図3，4参照)とその後ろ側上部に設けられた機能部4とを有している。機能部4の前側にはヒンジ5が設けられ，ヒンジ5にはヒンジサポート6及びヒンジカバー7が装着されている。ヒンジサポート6及びヒンジカバー7には，便座8及び便蓋9(図3，4参照)の開閉用のモーターを有する開閉駆動手段（図示せず）が設けられている。便座8内に保温用のヒーターと温度センサーが内蔵され，便座8を常時所定温度に加熱している。  袖部11には便座8内に配置されているヒータ及び温度センサーに接続されている配線コード10が挿通され，この配線コード10は袖部11の側壁12に設けられている挿通孔13，およびヒンジ5の側に設けられた中空形状の柱14に固定された蓋15を通って，機能部4内に配置されている図示しない制御装置に連結されている。
【００２４】
コード引き込み手段は，コイルスプリング16内を挿通する配線コード10に配線コード10が自由状態のコイルスプリング16の先側から出た位置で固定されるストッパー部材17とを有している。コイルスプリング16の基端は，中空形状柱状突起14に固定されている蓋15の基端で支持されている。従って，例えば，便座8を取外す場合等において，配線コード10を機能部4から引き出そうとすると，配線コード10の先端に設けられているストッパー部材17がコイルスプリング16を縮めることになる。又は，取外した便座8を所定位置に固定すると，配線コード10が自由状態になるので，コイルスプリング16が伸びて自動的に配線コード10を機能部4内に引き込む。コイルスプリング16の強さは，強すぎると配線コード10に無理な荷重がかかるので，弛んだ配線コード10を引き上げるのに十分な力を有すればよい。
【００２５】
本実施の形態に係るトイレ装置は以上のような構成となっているので、便座８のヒンジカバー７を上げると、配線コード１０の所定の位置にはストッパー部材１７が設けられているので、コイルスプリング１６を押し上げて配線コード１０が機能部４から引き出される。便座８を元の位置に戻せば配線コード１０がコイルスプリング１６によって引き込まれて、露出した配線コード１０の弛みはないことになる。
【００２６】
また，蓋15は，例えばネジなどの様な脱着可能な方法で突起14に固定されている為，便座8を機能部4より取外す際は，この固定方法を解除することにより機能部内部のコードおよびコネクタを取外すことが出来る。
【００２７】
【発明の効果】
請求項1〜9記載のトイレ装置においては，ヒーターに接続される配線コードを収納するコード収納部を機能部ヒンジの直横に設けているので，コード収納部に余分な配線コードを収納し，ヒーターに接続される配線コードを付けたままで，便座を簡単に取外すことが可能となる。
【図面の簡単な説明】
【図１】  本発明の実施の形態に係るトイレ装置の便座開時一部拡大斜視図である。
【図２】  同便座閉時一部拡大斜視図である。
【図３】  従来の実施の形態に係るトイレ装置の便座閉時全体斜視図である。
【図４】  同便座開時全体斜視図である。
【符号の説明】
1：トイレ装置：トイレ装置，3：便器，4：機能部，5：ヒンジ，6：ヒンジサポート，7：ヒンジカバー，8：便座，9：便蓋，10：配線コード，11：便座袖部，12：便座側コード収納側壁，13：挿通孔，14：中空形状柱状突起，15：蓋，16：コイルスプリング，17：ストッパー部材
【図１】
0003852833.tif 000002
【図２】
0003852833.tif 000003
【図３】
0003852833.tif 000004
【図４】
0003852833.tif 000005